(57)【要約】【課題】この発明は、加齢又は各種の障害によって手及び掌の不自由な人が容器を使用する場合、容器をその人の好みの形に変形させ、一旦変形させた容器は、使用している間中は、その形状を、そのまま維持するようにした形状保持容器を提供する。【解決手段】底板部と周側部とを分離した状態の内部変形保持薄板を外部プラスチック変形保持軟質被覆体の内部に組み込んだ状態で成形してなる形状保持容器としたものである。【選択図】      図１
2005206235.tif 000002
【特許請求の範囲】
【請求項１】
内部に変形保持薄板を外部プラスチック変形保持軟質被覆体の内部に組み込んで成形したこと特徴とする変形保持容器。
【請求項２】
内部に底板部と周側部とを分離した状態の変形保持薄板を外部プラスチック変形保持軟質被覆体の内部に組み込んで成形したこと特徴とする変形保持容器。
【請求項３】
底板部と周側部連結した状態のの内部変形保持薄板を外部プラスチック変形保持軟質被覆体の内部に組み込んで成形したこと特徴とする変形保持容器。
【請求項４】
変形保持薄板は側周部にのみ配置した請求項１記載の変形保持容器。
【請求項５】
変形保持薄板は底板部にのみ配置した請求項１記載の変形保持容器。
【請求項６】
変形保持薄板は金属薄板よりなる請求項１、請求項２又は請求項３記載の変形保持容器。
【請求項７】
変形保持薄板は、予めプラスチック板を変形保持加工してなる硬質プラスチック板よりなる請求項１、請求項２又は請求項３記載の変形保持容器。
【発明の詳細な説明】
【技術分野】
【０００１】この発明は、手及び掌の不自由な人が使用し易いような形状に容器を変形させて使用に適するようにした形状保持容器に関する。
【背景技術】
【０００２】加齢又は各種の障害によって手及び掌の不自由な人が容器を使用する場合、容器をその人の好みの形に変形させ、一旦変形させた容器は、使用している間中は、その形状を、そのまま維持するようにした容器である。【０００３】このような要請に応じて発明されたものではないが、コンパクトに収納し、携帯できるように折り畳みできる容器が発明されている。（例えば、特許文献１）
又、身障者用に、液体を容易に飲むようにしたコップ容器も発明されている。（例えば、特許文献２）【０００４】
【特許文献１】実用登録第３０１９８５２号
【特許文献２】登録実用新案第３０２６８９４号
【発明の開示】
【発明が解決しようとする課題】
【０００５】従来、上記特許文献１では、コンパクトに収納し、携帯できるように折り畳みできるコップ型の容器が発明されている。又身障者用に、液体を容易に飲むようにしたコップ状の容器も発明されているが、この公知例では、容器本体の内底部に吸引口を形成して上部に突出させた吸い口と連通させたものである。
【発明の解決するための手段】
【０００６】内部に変形保持薄板を外部プラスチック変形保持軟質被覆体の内部に組み込んで成形した変形保持容器とした。
【０００７】更に、内部に底板部と周側部とを分離した状態の変形保持薄板を外部プラスチック変形保持軟質被覆体の内部に組み込んで成形した変形保持容器とした。
【０００８】更に、底板部と周側部連結した状態の内部変形保持薄板を外部プラスチック変形保持軟質被覆体の内部に組み込んで成形した変形保持容器とした。
【０００９】変形保持薄板は側周部にのみ配置した変形保持容器とした。
【００１０】変形保持薄板は底板部にのみ配置した変形保持容器とした。
【００１１】変形保持薄板は金属薄板よりなる変形保持容器とした。
【００１２】変形保持薄板は、予めプラスチック板を変形保持加工してなる硬質プラスチック板よりなる変形保持容器とした。
【発明の効果】
【００１３】内部に変形保持薄板を外部プラスチック変形保持軟質被覆体の内部に組み込んで成形してあるので、主として身障者、老人のような手及び掌の不自由な人が自分の使用に適するように容器を自由に変形させ、そして変形した状態をそのまま維持できる容器としてあるので、手及び掌の不自由な人の使用に頗る便利である。更に、容器は、多層構造となっているので、保温性が良好である。又、紙コップのような使い捨てでなく多数回の使用にも耐えるので、省資源的の容器となる。
しかも、外部が軟質体であること、及び保温、断熱効果にも優れているので安全に使用できる。
【発明を実施するための最良の形態】
【００１４】内部に変形保持薄板を外部プラスチック変形保持軟質被覆体の内部に組み込んで成形した変形保持容器とした。
【実施例１】
【００１５】比較的柔軟な金属であって復元性のある、銅、アルミ、鉄、ステンレス等のような金属製の薄板材料のような変形保持薄板を芯材にて容器型に底板部１と周側部２とを分離した状態で配置され、前記底板部１と周側部２とを容器型の形状のままシリコンゴムのような合成ゴム及び、例えば、低密度ポリエチレン、軟質塩化ビニルプラスチックのような弾性プラスチックのごときエラストマー層３の内部に組み込んだ状態で容器４として成形してあるものである。【００１６】ここで適用される成形方法としては、例えば、予めキャビティ中に前記底板部１と周側部２とを容器４型を挿入し成形サイクルのなかで一体化したインサート成形が望ましい。【００１７】前記エラストマー層３は、シリコンゴムのような合成ゴム及び、例えば、低密度ポリエチレン、軟質塩化ビニルプラスチックのような弾性プラスチック等からなる軟質層であって、このようなエラストマー層３は、芯材である底板部１と周側部２が変形すれば、その変形をそのまま保持し得る軟質可撓性の材料である。しかも、前記底板部１と周側部２の外周部に所定厚さのエラストマー層３を形成させてある。【００１８】周側部２は、底板部１と分離しているため、金属板本来の柔軟性を有している。その容器４を利用する者の好みに応じて変形し易い。【００１９】上記の構成によるなる容器４には、皿容器、椀のような食品容器、コップのような飲料容器、薬品用容器、化粧品容器、飲料用容器等の各種の容器が含まれる。【００２０】容器４を例えば、図３のように手指にてコップのような容器４の側部を押圧すると、押圧した形で図２に示したような凹部５が形成される。又、容器の柔軟性を利用して、コップのような容器の上部に図４のような注ぎ口６を形成すること、その他、コップを使用者に便利となるような形に容器を変形させることが出来る。
【実施例２】
【００２０】実施例１では、銅、アルミ、鉄、ステンレス等のような金属製のような変形保持薄板を使用したが、このような材料に代えて硬質プラスチック板の両側面に無数の縦方向、横方向、斜め方向の細かな切り目１１無数に予め刻設してなる可撓性硬質プラスチック板製の変形保持薄板１２を芯材として底板部１３と周側部１４とを各々分離して、その外周に所定厚さのエラストマー層１５を形成させることもできる。【００２１】硬質プラスチック板製の変形保持薄板１２を芯材として、その外層として所定厚さのエラストマー層１５を形成する手段として、先の実施例のインサート成型法を適用することができる。
【実施例３】
【００２２】図７に示すように、底板部２１と周側部２２とを連結した状態の容器状の内部変形保持薄板２３を外部プラスチック変形保持軟質被覆体２４の内部に組み込んだ状態で容器２５を成形することもできる。容器２５の上方部は、底板部２１と連結しているため可撓性、柔軟性は制約されるが、容器の上方部で支障なく変形する。もちろん、変形保持薄板２３は可撓性、柔軟性、及び復元性にに富む材料であって、そのような材料としては例えば実施例１で使用したような銅、アルミ、鉄、ステンレス等のような金属製の薄板材料又は、実施例２で述べたように予め、柔軟処理をした硬質プラスチック板の両側面に無数の縦方向、横方向、斜め方向の細かな切り目無数に予め刻設してなる可撓性硬質プラスチック板製の変形保持薄板でもよい。
外部プラスチック変形保持軟質被覆体２４は実施例１及び実施例２において使用したシリコンゴムのような合成ゴム及び、例えば、低密度ポリエチレン、軟質塩化ビニルプラスチックのような弾性プラスチック等からなるエラストマー層でよい。
【実施例４】
【００２３】図８に示す実施例では、側周部にのみ変形保持薄板３１を配置したコップ状の変形保持容器の例を示してある。この実施例で使用される外部プラスチック変形保持軟質被覆体３２は実施例１、実施例２、及び実施例３のものと同様で例えば、低密度ポリエチレン、軟質塩化ビニルプラスチックのような弾性プラスチック等からなるエラストマー層でよい。
【実施例５】
【００２４】図９に示す実施例では、底板部にのみ変形保持薄板４１を配置した皿状の変形保持容器を示してある。この実施例で使用される外部プラスチック変形保持軟質被覆体４２は実施例１、実施例２、実施例３及び実施例４のものと同様で例えば、低密度ポリエチレン、軟質塩化ビニルプラスチックのような弾性プラスチック等からなるエラストマー層でよい。
【産業上の利用可能性】
【００２５】この発明は、手及び掌の不自由な人が使用し易いような形状に容器を変形させて使用に適するようになし得ると共に、しかも容器の外観を種々に変形させる楽しみもあり、ほとんどあらゆる容器に適用することができる等広く産業上利用可能である。
【図面の簡単な説明】
【００２６】
【図１】本件発明の容器の縦断面図である。
【図２】容器の側部を変形させて凹部を形成した容器の縦断面図である。
【図３】容器の側部に押圧を加えて凹部を形成した容器の斜視図である。
【図４】容器の上周部を変形させて注ぎ口を形成した容器の斜視図である。
【図５】無数の切り目を刻設した硬質プラスチック板製の変形保持薄板の斜視図である。
【図６】他の実施例を示す容器の縦断面図である。
【図７】更に、他の実施例を示す容器の縦断面図である。
【図８】他の実施例を示すコップ状容器の縦断面図である。
【図９】更に、他の実施例を示す皿状容器の縦断面図である。
【符号の説明】
１．．．．底板部
２．．．．周側部
３．．．．エラストマー層
４．．．．容器
５．．．．凹部
６．．．．注ぎ口
１１．．．切り目
１２．．．硬質プラスチック板製の変形保持薄板
１３．．．底板部
１４．．．周側部
１５．．．エラストマー層
２１．．．底板部
２２．．．周側部
２３．．．内部変形保持薄板
２４．．．外部プラスチック変形保持軟質被覆体
２５．．．容器
３１．．．変形保持薄板
３２．．．外部プラスチック変形保持軟質被覆体
４１．．．変形保持薄板
４２．．．外部プラスチック変形保持軟質被覆体
【図１】
2005206235.tif 000003
【図２】
2005206235.tif 000004
【図３】
2005206235.tif 000005
【図４】
2005206235.tif 000006
【図５】
2005206235.tif 000007
【図６】
2005206235.tif 000008
【図７】
2005206235.tif 000009
【図８】
2005206235.tif 000010
【図９】
2005206235.tif 000011